【手続補正書】
【提出日】平成24年1月6日(2012.1.6)
【手続補正１】
【補正対象書類名】特許請求の範囲
【補正対象項目名】全文
【補正方法】変更
【補正の内容】
【特許請求の範囲】
【請求項１】
旋回軸周囲に画定された旋回ボアを備えるテンショナ・アームを備え、前記旋回ボアが、前記テンショナ・アームの後面を通して開口している内側端部と前記テンショナ・アームの前面を通して開口している外側端部とを備え、
前記テンショナ・アームが、前記旋回ボアに隣接して位置付けられた少なくとも１つの弾性ファスナ保持タブを更に備え、前記少なくとも１つの弾性ファスナ保持タブは前記旋回ボアに対して半径方向外側に選択的かつ弾性的に撓むことができ、
前記旋回ボアを通って延び前記少なくとも１つの弾性ファスナ保持タブによって係合されるファスナを備え、前記少なくとも１つのファスナ保持タブが、前記テンショナ・アームから前記ファスナが分離するのを阻止する、
チェーン・テンショナ・アーム・アセンブリ。
【請求項２】
前記ファスナが、前記少なくとも１つの弾性ファスナ保持タブが接触するショルダ領域を含む一部品構造として画定されるショルダ・ボルトから成る、請求項１に記載のチェーン・テンショナ・アーム・アセンブリ。
【請求項３】
前記ファスナが、画定された凹部を備えるショルダ領域を含むショルダ・ボルトから成り、前記少なくとも１つのファスナ保持タブが、前記凹部に位置付けられる先端を備える、請求項１に記載のチェーン・テンショナ・アーム・アセンブリ。
【請求項４】
前記ショルダ領域に画定された前記凹部が環状溝から成ることによって、前記少なくとも１つのファスナ保持タブが前記環状溝に位置付けられると、前記テンショナ・アームが前記ショルダ領域周囲を回転可能である、請求項３に記載のチェーン・テンショナ・アーム・アセンブリ。
【請求項５】
前記少なくとも１つのファスナ保持タブが、前記テンショナ・アームとの一部品構造として画定される、請求項１に記載のチェーン・テンショナ・アーム・アセンブリ。
【請求項６】
前記少なくとも１つのファスナ保持タブが、前記テンショナ・アームの前記前面及び前記後面のうちの少なくとも１つを通して開放していると共に前記旋回ボア内に開放しているポケット内に位置付けられており、前記ポケットが、軸方向に延びる外壁と、前記少なくとも１つのファスナ保持タブが結合される横方向端壁とを含む、請求項５に記載のチェーン・テンショナ・アーム・アセンブリ。
【請求項７】
前記ファスナが、ボルトと前記ボルトが通って延び捕捉されるスリーブとを含むと共に前記スリーブが前記ファスナのショルダ領域を画定する、複数部品アセンブリとして画定されるショルダ・ボルトから成り、前記少なくとも１つの弾性ファスナ保持タブが、前記ショルダ領域と接触する、請求項１に記載のチェーン・テンショナ・アーム・アセンブリ。
【請求項８】
前記ファスナが、ボルトと前記ボルトが通って延び捕捉されるスリーブとを含むと共に前記スリーブが前記ファスナのショルダ領域を画定する、複数部品アセンブリとして画定されるショルダ・ボルトから成り、前記ショルダ領域が、画定された凹部を備え、前記少なくとも１つのファスナ保持タブが、前記凹部に位置付けられる先端を備える、請求項１に記載のチェーン・テンショナ・アーム・アセンブリ。
【請求項９】
前記ショルダ領域に画定された前記凹部が、環状溝から成る、請求項８に記載のチェーン・テンショナ・アーム・アセンブリ。
【請求項１０】
前記少なくとも１つの弾性ファスナ保持タブが、前記ボア内の前記内側端部と前記外側端部との間に位置付けられている、請求項１に記載のチェーン・テンショナ・アーム・アセンブリ。
【請求項１１】
前記少なくとも１つの弾性ファスナ保持タブが、それぞれが前記ファスナと係合される複数の弾性ファスナ保持タブから成る、請求項１０に記載のチェーン・テンショナ・アーム・アセンブリ。
【請求項１２】
前記複数の弾性ファスナ保持タブが、前記旋回軸の周方向に、それぞれに対して対称的に配置されている、請求項１１に記載のチェーン・テンショナ・アーム・アセンブリ。
【請求項１３】
前記テンショナ・アームの前記後面と当接しており、前記旋回ボアから離間した前記テンショナ・アームの自由端部を支持する斜面を備える、ブラケット、
を更に備える、請求項１に記載のチェーン・テンショナ・アーム・アセンブリ。
【請求項１４】
前記少なくとも１つのファスナ保持タブが、前記旋回ボアの半径方向内側に突出した先端を備え、前記先端が、
（ｉ）前記テンショナ・アームの前記前面よりも前記後面の近くに、或いは、
（ｉｉ）前記テンショナ・アームの前記後面よりも前記前面の近くに、
位置付けられている、請求項１に記載のチェーン・テンショナ・アーム。
【請求項１５】
前記ファスナが、
ボルトを備え、
前記ボルトの軸方向長さに捕捉されこの軸方向長さを囲むスリーブを備え、前記ボルトが、前記スリーブに対して軸方向に動くことができ、
前記スリーブが、前記少なくとも１つのファスナ保持タブによって係合される少なくとも１つの保持形状を含む外面を備え、
前記テンショナ・アームが、前記スリーブの前記外面に対して回転可能である、
請求項１に記載のチェーン・テンショナ・アーム。
【請求項１６】
ボアを備えるテンショナ・アームを備え、前記ボアが、前記テンショナ・アームの後面を通して開口している内側端部と前記テンショナ・アームの前面を通して開口している外側端部とを備え、
前記テンショナ・アームが、（ｉ）前記ボア内へ広がるポケットと、（ｉｉ）前記ボア内部へ延びて前記ボアの直径を制限する突出したタブを備え、前記タブは前記ボアに対して半径方向外側の前記ポケットの外壁に向かって選択的に撓むことができ、
前記ボアを通って延び前記突出するタブと係合されるファスナを備え、これにより、前記突出するタブが前記ボアにおいて前記ファスナを捕捉する一方で、前記テンショナ・アームが前記ファスナに対して回転することのできる、
チェーン・テンショナ・アセンブリ。
【請求項１７】
前記突出するタブが、前記テンショナ・アームとの一部品成形ポリマー構造として構成される、請求項１６に記載のチェーン・テンショナ・アセンブリ。
【請求項１８】
ねじ切り部と前記ねじ切り部に結合されたドライビング・ヘッドとを備えるボルトと、
前記ボルトの軸方向長さに捕捉されこの軸方向長さを囲むスリーブとを備え、
前記ボルトは前記スリーブに対して軸方向に動くことができ、前記スリーブは関連する構成要素の突出部によって係合されるように構成された少なくとも１つの保持形状を含む外面を備える、ファスナ。
【請求項１９】
前記少なくとも１つの保持形状が、前記ショルダ領域の前記外面に画定された環状溝から成る、請求項１８に記載のファスナ。
【請求項２０】
軸周囲に円筒形ボア壁によって画定されたボアを備えるアームを備え、前記ボアが、前記アームの後面を通して開口している内側端部と前記アームの前面を通して開口している外側端部とを含み、
前記ボア内の前記内側端部と前記外側端部との間に位置付けられており、自由位置にあるとき前記円筒形ボア壁によって画定された直径を部分的に制限すると共に、前記自由位置から撓み位置へと前記軸に対し半径方向外側に選択的に弾性的に撓むことができることによって、関連するファスナを前記ボアに挿入できるようにし、前記撓み位置から解放されると、前記自由位置へと弾性的に復帰する、少なくとも１つの弾性ファスナ保持タブを、前記アームが更に備える、
旋回又は固定チェーン・ガイド。
【請求項２１】
前記少なくとも１つの弾性ファスナ保持タブが、それぞれが前記ボア内の前記内側端部と前記外側端部との間に位置付けられた複数の弾性ファスナ保持タブから成り、前記複数の弾性ファスナ保持タブのそれぞれが、自由状態にあるとき前記円筒形ボア壁によって画定された前記ボアを部分的に遮ると共に、前記軸に対し半径方向外側に選択的に弾性的に撓むことができることによって、関連するファスナを前記ボアに挿入できるようにする、請求項２０に記載のチェーン・ガイド。
【請求項２２】
前記複数の弾性ファスナ保持タブが、前記ボア軸の周方向に、それぞれに対して対称的に配置されている、請求項２１に記載のチェーン・ガイド。
【請求項２３】
前記少なくとも１つの弾性ファスナ保持タブが、前記アームとの一部品構造として構成される、請求項２０に記載のチェーン・ガイド。
【請求項２４】
前記少なくとも１つのファスナ保持タブが、前記アームの前記前面及び前記後面のうちの少なくとも１つを通して開放していると共に前記ボア内に前記円筒形ボア壁を通して開放しているポケット内に位置付けられており、前記ポケットが、軸方向に延びる外壁と、前記少なくとも１つのファスナ保持タブが結合される横方向端壁とを含む、請求項２３に記載のチェーン・ガイド。